(57)【特許請求の範囲】
【請求項１】
上下面が平行なハウジングの前面にレンズを備え、背面にバルブとその発光を反射するリフレクタを備え、このリフレクタが発光を前方へ反射するようにバルブ背後位置から側方へ向かうのに伴ってレンズに向けて前進する第１の傾斜面と、この傾斜面よりも幅狭の後退する第２の傾斜面とが交互に繰返される複数段の鋸歯形状に形成された車両用灯具において、
バルブの周囲を包囲する直方体状のバルブキャップをリフレクタと一体に形成すると共に、
複数段の鋸歯形状の正面視に対応するように、前記バルブキャップの正面に第１の傾斜面の正面視の横幅を有する方形領域及び第２の傾斜面の正面視の横幅の開口部を交互に形成し、
前記バルブキャップの上下左右の周面に、前記正面を支持するリブを前記正面の四隅に残すように開口部を形成し、
前記リフレクタ及び前記バルブキャップの表面に反射膜を形成した、ことを特徴とする車両用灯具。
【請求項２】
上下面が平行なハウジングの前面にレンズを備え、背面にバルブとその発光を反射するリフレクタを備え、このリフレクタが発光を前方へ反射するようにバルブ背後位置から側方へ向かうのに伴ってレンズに向けて前進する第１の傾斜面と、この傾斜面よりも幅狭の後退する第２の傾斜面とが交互に繰返される複数段の鋸歯形状に形成された車両用灯具において、
バルブの周囲を包囲する直方体状のバルブキャップをリフレクタと一体に透光性合成樹脂で形成すると共に、
複数段の鋸歯形状の正面視に対応するように、前記バルブキャップの正面に第１の傾斜面の正面視の横幅を有する方形領域及び第２の傾斜面の正面視の横幅を有する方形領域を交互に設定することにより、前記リフレクタの表面と、前記第１の傾斜面の正面視の横幅を有する前記方形領域とに反射膜を形成した、ことを特徴とする車両用灯具。
【請求項３】
透光性合成樹脂が発光すべき色に着色されている、ことを特徴とする請求項２の車両用灯具。
【発明の詳細な説明】
【０００１】
【発明の属する技術分野】
本発明は、ハウジングの平行な上下面間の背面のリフレクタが、上下方向には同一面状に形成され、かつ側方には複数段の鋸歯形状に形成された車両用灯具に関するものである。
【０００２】
【従来の技術】
図４に示すように、例えばリヤコンビネーションランプには、ハウジング２の互に平行な上下面２ａ、２ｂ間の浅い曲面状の背面に、所属のバルブ３の発光を前方へ反射するために、車幅方向へ複数段の鋸歯形状に形成されたリフレクタ５を共通に備えたのも周知であり、その方向指示灯用のバルブ３にアンバキャップ３ａが装着することも行われている。
【０００３】
各鋸歯形状部分は、バルブ３の発光をハウジング前方へ反射するようにバルブ３の背後位置から側方へ離れるのに伴って前面のレンズ６に向けて前進し、かつ側方へ幅広の傾斜面５ａと、隣接する傾斜面５ａにバルブ発光を入射させるようにその入射方向に沿ってバルブ３から側方へ離れるのに伴って急傾斜で後退する幅狭の傾斜面５ｂとより構成されている。これにより、リフレクタ５は、ハウジング２の上下面２ａ、２ｂ間が狭く、横幅が広くても所属のバルブ３の発光を有効に傾斜面５ａでハウジング前方へ反射する。
【０００４】
【発明が解決しようとする課題】
しかしながら、この種の車両用灯具においては、特にハウジング前面のレンズの素通し感が強い場合、消灯時にレンズを通して鋸歯形状のリフレクタが見えるために、バルブ又はそのキャップとの一体感、即ち灯具全体の一体感が損なわれる問題がある。一方、実開平５−７７８０３号公報によりバルブのグレアを遮光するためのバルブキャップをリフレクタと一体に形成したり、或は実開平４−１２３００１号公報によりバルブキャップの正面に小さい穴を配列して完全に遮光しないようにしたのが周知となっているが、鋸歯形状リフレクタを前提にしたこのような欠点は意識されていない。
【０００５】
本発明は、このような点に鑑みて、バルブキャップを用いることを前提に、消灯時に正面から見た場合の灯具全体の一体感を向上させ得る冒頭に述べた類の鋸歯形状のリフレクタを有する車両用灯具を提供することを目的とする。
【０００６】
【課題を解決するための手段】
本発明は、この目的を達成するために、上下面が平行なハウジングの前面にレンズを備え、背面にバルブとその発光を反射するリフレクタを備え、このリフレクタが発光を前方へ反射するようにバルブ背後位置から側方へ向かうのに伴ってレンズに向けて前進する第１の傾斜面と、この傾斜面よりも幅狭の後退する第２の傾斜面とが交互に繰返される複数段の鋸歯形状に形成された車両用灯具において、請求項１により、バルブの周囲を包囲する直方体状のバルブキャップをリフレクタと一体に形成すると共に、複数段の鋸歯形状の正面視に対応するように、バルブキャップの正面に第１の傾斜面の正面視の横幅を有する方形領域及び第２の傾斜面の正面視の横幅の開口部を交互に形成し、バルブキャップの上下左右の周面に、正面を支持するリブを正面の四隅に残すように開口部を形成し、リフレクタ及びバルブキャップの表面に反射膜を形成するか、請求項２により、バルブの周囲を包囲する直方体状のバルブキャップをリフレクタと一体に透光性合成樹脂で形成すると共に、複数段の鋸歯形状の正面視に対応するように、バルブキャップの正面に第１の傾斜面の正面視の横幅を有する方形領域及び第２の傾斜面の正面視の横幅を有する方形領域を交互に設定することにより、リフレクタの表面と、第１の傾斜面の正面視の横幅を有する方形領域とに反射膜を形成する。
【０００７】
消灯状態において、リフレクタは、レンズを通してハウジング正面から見た場合に、第１及び第２の傾斜面の反射方向の相違により幅広及び幅狭が繰返される縞状の模様に見える。バルブキャップの正面においてもリフレクタの幅広の第１の反射性の傾斜面に対応する反射膜が複数段の鋸歯形状の正面視に対応して見える。
【０００８】
【発明の実施の形態】
図１乃至図２を基に本発明を図４に示すリヤコンビネーションランプに適用した場合の実施の形態を説明する。したがって、図４のものと同一符号は同一もしくは同等部分を示す。１０は方向指示用のバルブ３の周囲を包囲する直方体状のバルブキャップであり、リフレクタ５と一体に形成される。そのほぼ平坦な正面１０ａの表面には、幅広の傾斜面５ａを正面から見た横幅に略相当する複数の方形領域１１及び幅狭の傾斜面５ｂを正面から見た横幅に略相当する横幅の開口部１２が車幅方向へ交互に形成されている。
【０００９】
開口部１２は上下の縁部１２ａを備えるように形成され、正面１０ａの上下左右の周面に、四隅に正面１０ａを支持するリブ１３を残すように開口部１４が形成されている。リフレクタ５及びバルブキャップ１０の表面は、反射塗装又はアルミニウム蒸着により完全な反射膜１５が形成されている。
【００１０】
このように構成された車両用灯具の動作は、次の通りである。消灯時には、ハウジング２の互に平行な上下面間の背面は、前面のレンズを通してハウジング正面から見た場合に反射状態の相違により幅広及び幅狭の反射面が繰返される縞状の模様に見える。一方、バルブキャップ１０の正面１０ａは、リフレクタ５の幅広の傾斜面５ａに対応した形状の反射膜１５が配列されて見え、その間に幅狭の傾斜面５ｂに対応する開口部１２が介在する。したがって、相対的に大きな面積の反射面である傾斜面５ａと類似の反射面が、バルブキャップ１０の正面１０ａにも同様に間欠的に見えるために、見掛け上でリフレクタ５が連続するように見え、一体感が増すことになる。
【００１１】
点灯時には、バルブキャップ１０の正面１０ａでも開口部１２から光照射され、バルブ３の正面が暗くなることはない。
【００１２】
図３は別の実施の形態によるリヤコンビネーションランプを示すもので、方向指示用のバルブ３の周囲を包囲する直方体状のバルブキャップ２０が、リフレクタ５と一体にアンバ色で着色された合成樹脂で形成されている。
【００１３】
平坦に形成された正面２０ａには、第１の傾斜面５ａの正面視の横幅を有する幅広の方形領域２１及び第２の傾斜面５ｂの正面視の横幅の方形領域２２とを交互に設定すると共に、リフレクタ５の表面と、幅広の方形領域２１とには反射塗装又はアルミニウム蒸着により反射膜が形成されている。
【００１４】
これにより、バルブキャップ２０の左右の周面２４及び上下の周面２５から着色光が照射されてリフレクタ５で前方へ反射され、正面２０ａの幅狭の方形領域２２からも方形領域２１の遮光領域を置いて着色光が照射される。
【００１５】
尚、本発明は、前述の実施の形態に代えて扁平型のリヤコンビネーションランプ或は１灯型等種々の車両用灯具に適用可能である。
【００１６】
【発明の効果】
本発明によれば、鋸歯形状リフレクタを有する車両用灯具の消灯時において、請求項１では交互に形成された反射膜と開口部とにより、また請求項２では交互に形成された反射膜と透光領域とにより、バルブの正面にも対応した縞状模様が形成されてランプ全体の一体感を向上すると共に、バルブの正面を完全に暗くせずにグレアを遮光するバルブキャップが簡単に実現される。請求項３によれば、バルブ発光を着色するバルブキャップもリフレクタと一体に形成される。
【図面の簡単な説明】
【図１】本発明の実施の形態によるリヤコンビネーションランプの要部の斜視図である。
【図２】同ランプのハウジング背面の部分断面図である。
【図３】別の実施の形態によるリヤコンビネーションランプの要部の斜視図である。
【図４】従来のリヤコンビネーションランプの分解斜視図である。
【符号の説明】
３  バルブ
５  リフレクタ
５ａ、５ｂ  傾斜面
１０、２０  バルブキャップ
１１、２１、２２  方形領域
１２、１４  開口部
１３  リブ
１５  反射膜
【図１】
0003609220.tif 000002
【図２】
0003609220.tif 000003
【図３】
0003609220.tif 000004
【図４】
0003609220.tif 000005